(57)【特許請求の範囲】
【請求項１】
支柱と支柱間に設けられたパネル体とからなるフェンスであって、
上記支柱の所定位置には支柱固定具を設け、上記パネル体は上下の横桟を備えるとともに、上記上下の横桟の端部には取付具を固定し、この取付具には上記支柱固定具に係止可能な係止部を形成し、
上記取付具には、上記パネル体に連続する他のパネル体を取り付ける取付片が側方に突出形成されており、上記連続する他のパネル体は、上記パネル体と同一間隔で設けた上下の横桟を備えるとともに、この上下の横桟の端部が上記パネル体の上下の横桟と同一形状であることを特徴とするフェンス。
【請求項２】
上記取付片の上部には、上記連続する他のパネル体に設けたパネル固定具を係止させる切欠き部を上方に開口するように形成したことを特徴とする、請求項１に記載のフェンス。
【請求項３】
上記パネル体の上下の横桟には、上記支柱と同一の幅及び奥行きを有する複数の縦格子が取り付けられるとともに、上記支柱と上記縦格子とが等間隔で配設されていることを特徴とする、請求項１又は２記載のフェンス。
【発明の詳細な説明】
【技術分野】
【０００１】
この発明は、フェンスに関し、特に、支柱と支柱間に設けられたパネル体とからなるフェンスに関するものである。
【背景技術】
【０００２】
従来、例えば住宅等の敷地境界に設置するフェンスとして、横胴縁に予め縦格子を固定したパネル体を支柱に固定し、これによりフェンスを構成することが行われている。
【０００３】
例えば、特許文献１には、パネルを長尺の取付金具に固着してフェンス面体を形成し、該取付金具を所定間隔にて立設された支柱部材に掛け渡して取り付けたフェンスが開示されている。
【０００４】
また、特許文献２には、胴縁を相互に嵌合自在の割型胴縁としたフェンスが開示されている。
【先行技術文献】
【特許文献】
【０００５】
【特許文献１】特開平１１−２１０２７３号公報
【特許文献２】特開２００７−１４６４３５号公報
【発明の概要】
【発明が解決しようとする課題】
【０００６】
しかし、上記した特許文献１記載のフェンスでは、単にパネルを支柱部材に掛け渡したに過ぎず、比較的重量が見込まれるパネル体を安定して支えることが困難であった。
【０００７】
この点、上記した特許文献２記載のフェンスは、比較的重量が見込まれるパネル体を安定して支えることが可能ではあるものの、割型胴縁を設ける必要があるために製造コストが嵩むという問題があった。
【０００８】
そこで、本発明は、比較的重量が見込まれるパネル体を安定して支えることが可能であるとともに、低コストで製造可能なフェンスを提供することを課題とする。
【課題を解決するための手段】
【０００９】
本発明は、上記した課題を解決するためになされたものである。以下、各請求項にそれぞれ記載された発明の特徴および作用を説明する。
【００１０】
（請求項１）
請求項１に記載の発明は、以下を特徴とする。
【００１１】
すなわち、請求項１に記載のフェンスは、支柱と支柱間に設けられたパネル体とからなるフェンスであって、上記支柱の所定位置には支柱固定具を設け、上記パネル体は上下の横桟を備えるとともに、上記上下の横桟の端部には取付具を固定し、この取付具には上記支柱固定具に係止可能な係止部を形成し、上記取付具には、上記パネル体に連続する他のパネル体を取り付ける取付片が側方に突出形成されており、上記連続する他のパネル体は、上記パネル体と同一間隔で設けた上下の横桟を備えるとともに、この上下の横桟の端部が上記パネル体の上下の横桟と同一形状であることを特徴とする。
【００１２】
ここで「支柱固定具」は、支柱に設けられるものであって、パネル体の横桟の端部付近においてパネル体を係止可能なものである。この「支柱固定具」としては、例えば、ピン、ビス、ボルト、鉤状部材等を用いることができる。
【００１３】
【００１４】
【００１５】
（請求項２）
請求項２に記載の発明は、上記した請求項１に記載の発明の特徴点に加え、以下を特徴とする。
【００１６】
すなわち、上記取付片の上部には、上記連続する他のパネル体に設けたパネル固定具を係止させる切欠き部を上方に開口するように形成したことを特徴とする。
【００１７】
ここで「パネル固定具」は、パネルに設けられるものであって、取付片の切欠き部に係止されるものである。例えば、パネル体の上下の横桟の端部付近に、ピン、ビス、ボルト、鉤状部材等として設けることができる。
【００１８】
（請求項３）
請求項３に記載の発明は、上記した請求項１又は２記載の発明の特徴点に加え、以下を特徴とする。
【００１９】
すなわち、上記パネル体の上下の横桟には、上記支柱と同一の幅及び奥行きを有する複数の縦格子が取り付けられるとともに、上記支柱と上記縦格子とが等間隔で配設されていることを特徴とする。
【発明の効果】
【００２０】
請求項１に記載の発明によれば、支柱の所定位置に支柱固定具を設け、この支柱固定具に対して取付具を係止してパネル体を取付可能としたため、比較的重量が見込まれるパネル体であっても、安定して支柱で支えることが可能である。このためフェンスの設置を安全かつ容易に行えるという効果がある。
【００２１】
更には、前記した支柱固定具への取付具の係止によって、パネル体を支柱に仮固定することも可能である。このため、この仮固定後にネジ止めなどの本固定をするようにすれば、パネル体と支柱との位置決めが容易にでき、一人でも容易に施工可能なフェンスを提供できる。
【００２２】
また、取付具に連続する他のパネル体を取り付ける取付片が形成されているため、取付具の両側にパネル体を設けることが可能である。このため、取付具が係止される支柱の両側にパネル体を設けることが可能であり、支柱間にパネル体を連続して効率良く配置できるという効果がある。
【００２３】
また、請求項２に記載の発明によれば、取付片にパネル固定具を係止させる切欠き部を形成したため、連続してパネル体を設置するときに、後から取り付けるパネル体のパネル固定具を切欠き部に載置できる。このため、連続したパネル体の設置を容易に行えるという効果がある。
【００２４】
また、請求項３に記載の発明によれば、パネル体の上下の横桟には、支柱と同一の幅及び奥行きを有する複数の縦格子が取り付けられるとともに、これらの支柱と縦格子とが等間隔で配設されているため、フェンス全体として統一感のあるデザインとすることができる。
【図面の簡単な説明】
【００２５】
【図１】完成したフェンスの外観図である。
【図２】取付前のフェンスを構成する部材の斜視図である。
【図３】端部用取付具の拡大図であって、（ａ）平面図、（ｂ）正面図、である。
【図４】中継用取付具の拡大図であって、（ａ）平面図、（ｂ）正面図、である。
【図５】フェンス取付の説明図であって、左側のパネル体Ｐ１を取付前の図である。
【図６】図５の部分拡大図である。
【図７】フェンス取付の説明図であって、左側のパネル体Ｐ１を取付後の図である。
【図８】図７の部分拡大図である。
【図９】フェンス取付の説明図であって、右側のパネル体Ｐ２を取付前の図である。
【図１０】図９の部分拡大図である。
【図１１】フェンス取付の説明図であって、右側のパネル体Ｐ２を取付後の図である。
【図１２】図１１の部分拡大図である。
【発明を実施するための形態】
【００２６】
本発明の実施形態について、図を参照しながら説明する。
【００２７】
（フェンス１）
本実施形態に係るフェンス１は、図１に示すように、大きく分けて、支柱１０と、支柱１０間に設けられたパネル体２０と、からなる。そして、これらの支柱１０とパネル体２０とは、後述する端部用取付具３０と中継用取付具４０により接続固定されている。
【００２８】
（支柱１０）
支柱１０は、図２に示すように、棒状部材であり、上下二箇所に設けられた固定部においてパネル体２０を固定するためのものである。後述するように、この上下の二箇所の固定部には、それぞれ、支柱固定具１１としてのビスと、本固定用の支柱ビス穴１２と、が設けられている。
【００２９】
この支柱１０は、完成したフェンス１においては、図１に示すように地中に埋め込まれて立設し、パネル体２０を支持することになる。
【００３０】
（パネル体２０）
パネル体２０は、図２に示すように、上横桟２１と下横桟２２との２つの横桟に架橋するように複数の縦格子２３を取り付けて形成されるものである。この複数の縦格子２３は、支柱１０と同じ幅、奥行きで形成されている。また、この支柱１０と縦格子２３とは、図１に示すように、完成したフェンス１において等間隔に配設されるように形成されている。このように、支柱１０と縦格子２３とが同等の形状として形成されることで、支柱１０と縦格子２３との外観上の相違がほとんどないようになっており、全体として統一感のあるデザインとなっている。
【００３１】
また、後述するように、このパネル体２０に設けられた上横桟２１と下横桟２２との各端部付近には、端部用取付具３０または中継用取付具４０を固定するためのパネル固定具２４と横桟ビス穴２５とが設けられている。
【００３２】
本実施形態においては、所定の横桟に予め取付具が固定されており、これによりフェンス１の設置がより容易に行えるようになっている。すなわち、図２に示すように、左側のパネル体Ｐ１の上横桟２１と下横桟２２とには、それぞれの左側端部に端部用取付具３０が固定されており、また、それぞれの右側端部には中継用取付具４０が固定されている。そして、右側のパネル体Ｐ２の上横桟２１と下横桟２２とには、それぞれの右側端部に端部用取付具３０が固定されている。
【００３３】
なお、本実施形態においては、パネル体に予め取付具を固定するとともに、左側のパネル体Ｐ１と右側のパネル体Ｐ２とで異なる取付具を固定することとしているが、取付具を取り外せば、左側のパネル体Ｐ１と右側のパネル体Ｐ２とは全く同じものである。すなわち、左側のパネル体Ｐ１も右側のパネル体Ｐ２も、同一間隔で設けた上横桟２１と下横桟２２とを備え、また、この上横桟２１と下横桟２２との端部も同一形状である。このため、左側のパネル体Ｐ１及び右側のパネル体Ｐ２の上横桟２１及び下横桟２２の両端は、後述する端部用取付具３０又は中継用取付具４０のいずれであっても取付可能な形状となっている。
【００３４】
（端部用取付具３０）
端部用取付具３０は、フェンス１の端部に設けられた支柱１０とパネル体２０とを接合固定するための部材である。
【００３５】
端部用取付具３０は、図３に示すように、板状部材を２度直角に曲折させて平面視略Ｚ字状としたものである。すなわち、この端部用取付具３０は、支柱１０との接面を有する支柱取付部３６と、この支柱取付部３６から直角に延設される中間部３７と、中間部３７から直角に突出形成されたパネル取付片３２と、を有している。
【００３６】
支柱取付部３６には、図３（ｂ）に示すように、係止部３１が形成されている。この係止部３１は支柱取付部３６に設けられた穴であり、支柱固定具１１としてのビスが挿通可能に形成されており、これにより支柱固定具１１に係止可能となっている。また、この係止部３１の下には、支柱固定用ビス穴３４が設けられている。この支柱固定用ビス穴３４は、支柱固定具１１に係止部３１を係止することにより支柱１０との仮固定をした状態で、ビスにより本固定をするためのものである。
【００３７】
次に、パネル取付片３２について説明する。このパネル取付片３２は、後述するように、横桟の側面と接するように横桟に取り付けられるものである。このパネル取付片３２の上部には、図３（ｂ）に示すように、切欠き部３３が形成されている。この切欠き部３３は、パネル体２０に設けられたパネル固定具２４を係止させるためのものであり、上方に開口するように形成されている。これにより、この切欠き部３３に、パネル固定具２４としてのビスが係止可能に形成されている。また、この切欠き部３３の下には、横桟固定用ビス穴３５が設けられている。この横桟固定用ビス穴３５は、切欠き部３３にパネル固定具２４を係止することによりパネル体２０との仮固定をした状態で、ビスにより本固定をするためのものである。
【００３８】
（中継用取付具４０）
中継用取付具４０は、支柱１０の両側にパネル体２０を接合固定するための部材である。
【００３９】
中継用取付具４０は、図４に示すように、板状部材を３度直角に曲折させて平面視略凸字状としたものである。すなわち、この中継用取付具４０は、支柱１０との接面を有する支柱取付部４６と、この支柱取付部４６の両端から直角に延設される中間部４７と、それぞれの中間部４７から直角に突出形成されたパネル取付片４２と、を有している。
【００４０】
支柱取付部４６には、図４（ｂ）に示すように、係止部４１が形成されている。この係止部４１は支柱取付部４６に設けられた穴であり、支柱固定具１１としてのビスが捜通可能に形成されており、これにより支柱固定具１１に係止可能となっている。また、この係止部４１の下には、支柱固定用ビス穴４４が設けられている。この支柱固定用ビス穴４４は、支柱固定具１１に係止部４１を係止することにより支柱１０との仮固定をした状態で、ビスにより本固定をするためのものである。
【００４１】
次に、パネル取付片４２について説明する。このパネル取付片４２は、後述するように、横桟の側面と接するように横桟に取り付けられるものである。このパネル取付片４２の上部には、図４（ｂ）に示すように、切欠き部４３が形成されている。この切欠き部４３は、パネル体２０に設けられたパネル固定具２４を係止させるためのものであり、上方に開口するように形成されている。これにより、この切欠き部４３に、パネル固定具２４としてのビスが係止可能に形成されている。また、この切欠き部４３の下には、横桟固定用ビス穴４５が設けられている。この横桟固定用ビス穴４５は、切欠き部４３にパネル固定具２４を係止することによりパネル体２０との仮固定をした状態で、ビスにより本固定をするためのものである。
【００４２】
（フェンス１の取付方法）
以下、図面を見ながら、本実施形態に係るフェンス１の取付方法について説明する。
【００４３】
本実施形態においては、３本の支柱１０と、その支柱１０間に設けられた２枚のパネル体２０と、でフェンス１が構成されることとする。
【００４４】
図５は、支柱１０とパネル体２０とが取り付けられる前の状態を示す図である。また、図６は、図５の上横桟２１端部を拡大した図である。
【００４５】
この状態においては、支柱１０が地中に埋め込まれて立設しているだけであり、パネル体２０はまだ支柱１０に取り付けられていない。以下、まず図中の左側のパネル体Ｐ１を支柱１０に取り付け、その後右側のパネル体Ｐ２を支柱１０に取り付ける手順について説明する。
【００４６】
図５及び図６が示すように、パネル体Ｐ１の上横桟２１及び下横桟２２の一端には予め端部用取付具３０が固定されており、また、他端には予め中継用取付具４０が固定されている。まずは、この端部用取付具３０と中継用取付具４０とを支柱１０に係止する。
【００４７】
図７は、図５の状態から左側のパネル体Ｐ１を支柱１０に取り付けるために、端部用取付具３０と中継用取付具４０とを支柱１０に係止した状態を示す図である。また、図８は、この図７の上横桟２１端部を拡大した図である。
【００４８】
この図７及び図８を見ても明らかなように、左端の支柱１０の上下の二箇所に設けられた支柱固定具１１としてのビスに、パネル体Ｐ１の上横桟２１及び下横桟２２の一端に固定された端部用取付具３０が係止されている。また、中央の支柱１０の上下の二箇所に設けられた支柱固定具１１としてのビスには、パネル体Ｐ１の上横桟２１及び下横桟２２の他端に固定された中継用取付具４０が係止されている。
【００４９】
この状態で支柱１０とパネル体Ｐ１との仮固定が行われているため、後は支柱固定具１１のビスを強く締めたり、支柱ビス穴１２と支柱固定用ビス穴３４、４４とにビスを挿通して固定することで、支柱１０とパネル体Ｐ１との本固定を行うことができる。
【００５０】
次に、右側のパネル体Ｐ２を支柱１０に取り付ける。図９は支柱１０にパネル体Ｐ２が取り付けられる前の状態を示す図である。そして、図１０は、図９の上横桟２１端部を拡大した図である。これらの図が示すように、パネル体Ｐ２の上横桟２１及び下横桟２２の一端には予め端部用取付具３０が固定されているものの、左側のパネル体Ｐ１と隣接する側の端においては取付具が設けられていない。
【００５１】
この図９の状態から右側のパネル体Ｐ２を支柱１０に取り付けるために、端部用取付具３０を支柱１０に係止するとともに、パネル固定具２４を中継用取付具４０の切欠き部４３に係止した状態を示す図が、図１１である。また、図１２は、この図１１の上横桟２１端部を拡大した図である。
【００５２】
この図１１及び図１２を見ても明らかなように、右端の支柱１０の上下の二箇所に設けられた支柱固定具１１としてのビスに、パネル体Ｐ２の上横桟２１及び下横桟２２の一端に固定された端部用取付具３０が係止されている。また、中央の支柱１０の上下の二箇所において支柱１０に係止されている中継用取付具４０の切欠き部３３には、パネル体Ｐ２の上横桟２１及び下横桟２２の他端に設けられたパネル固定具２４としてのビスが係止されている。
【００５３】
この状態で支柱１０とパネル体Ｐ２との仮固定が行われているため、後はパネル体Ｐ１の場合と同様に、支柱１０とパネル体Ｐ２との本固定を行うことができる。すなわち、端部の支柱１０との本固定においては、支柱固定具１１のビスを強く締めたり、支柱ビス穴１２と支柱固定用ビス穴３４とにビスを挿通して固定すれば良い。また、中央の支柱１０との本固定においては、パネル固定具２４のビスを強く締めたり、横桟ビス穴２５と横桟固定用ビス穴４５とにビスを挿通して固定すれば良い。
【００５４】
（まとめ）
上記したように、本実施形態によれば、支柱１０間にパネル体２０を係止可能となっており、比較的重量が見込まれるパネル体２０であっても、安定して支柱１０で支えることが可能となっている。そして係止状態において本固定ができるため、一人でも容易に施工可能となっている。
【００５５】
なお、本実施例においては、支柱１０及び縦格子２３の状端にはキャップ５０を設けたが、上横桟２１及び下横桟２２にはキャップを設けていない。これは、端部用取付具３０または中継用取付具４０の中間部３７，４７が、上横桟２１及び下横桟２２のキャップを兼ねているためである。このような本実施形態を採用すれば、フェンス１を構成する部材数の削減にも寄与することができる。
【符号の説明】
【００５６】
１    フェンス
１０  支柱
１１  支柱固定具
１２  支柱ビス穴
２０  パネル体
２１  上横桟
２２  下横桟
２３  縦格子
２４  パネル固定具
２５  横桟ビス穴
３０  端部用取付具
３１  係止部
３２  パネル取付片
３３  切欠き部
３４  支柱固定用ビス穴
３５  横桟固定用ビス穴
３６  支柱取付部
３７  中間部
４０  中継用取付具
４１  係止部
４２  パネル取付片
４３  切欠き部
４４  支柱固定用ビス穴
４５  横桟固定用ビス穴
４６  支柱取付部
４７  中間部
５０  キャップ
【図１】
0005496737.tif 000002
【図２】
0005496737.tif 000003
【図３】
0005496737.tif 000004
【図４】
0005496737.tif 000005
【図５】
0005496737.tif 000006
【図６】
0005496737.tif 000007
【図７】
0005496737.tif 000008
【図８】
0005496737.tif 000009
【図９】
0005496737.tif 000010
【図１０】
0005496737.tif 000011
【図１１】
0005496737.tif 000012
【図１２】
0005496737.tif 000013